(57)【要約】【課題】窓枠本体とカバー体との当接した部分に確実にコーキング材を配設することができる窓枠及びこれを用いた取付構造を提供する。【解決手段】本発明の窓枠２は、建物躯体の窓用開口内に配設される筒体部４の室内側の端部にフランジ部５が設けられた窓枠本体３と、前記フランジ部５の前面を覆うカバー体６とを備え、前記窓枠本体３に前記カバー体６が取り付けられると、前記筒体部４の中央側の側面４１とカバー体６の筒体部４中央側の面６８とが略面一となる窓枠２である。カバー体６は、突出先端の筒体部４中央側の面６８に窪み部６１を有しており、この窪み部６１とフランジ部５の前面とでコーキング材Ａを充填するための収容溝７が形成されている。【選択図】図１
2011246958.tif 000002
【特許請求の範囲】
【請求項１】
建物躯体の窓用開口内に配設される筒体部の室内側の端部にフランジ部が設けられ、当該フランジ部における筒体部中央側の端部に室内側に向けて係止部が突設された窓枠本体と、
前記フランジ部の前面を覆う蓋部を有すると共に、前記係止部よりも筒体部中央側に位置する被係止部が当該蓋部から突設されたカバー体と
を備え、
前記窓枠本体に前記カバー体が取り付けられると、前記係止部と前記被係止部とが係合し、前記フランジ部の前面に前記被係止部の先端が当接し、前記筒体部の中央側の側面と前記被係止部の筒体部中央側の面とが略面一となる窓枠であって、
前記被係止部は、その突出先端に筒体部中央側の面から窪んだ窪み部を有しており、
この窪み部と前記フランジ部の前面とでコーキング材を充填するための収容溝が形成されていることを特徴とする窓枠。
【請求項２】
請求項１に記載の窓枠を用いた取付構造であって、
前記筒体部が建物躯体の窓用開口内に配設されると共に、前記フランジ部が固着具を介して当該建物躯体の内壁面に沿って固設され、
前記カバー体が前記フランジ部の前面に装着されると共に、前記収容溝にコーキング材が充填され、
前記収容溝内に充填された前記コーキング材により、前記窓枠本体の中央側の側面における前記カバー体との接続部分に止水部が形成されていることを特徴とする窓枠の取付構造。
【発明の詳細な説明】
【技術分野】
【０００１】
本発明は、窓枠及びこれを用いた取付構造に関する。
【背景技術】
【０００２】
従来から、建物躯体の窓用開口に取り付けられる窓枠が知られている（例えば特許文献１参照）。この窓枠は、例えば図６，７に示されるようなもので、窓用開口９６の開口縁部を覆う窓枠本体９０と、この窓枠本体９０の開口外縁部分に装着されるカバー体９１とを備えている。この窓枠本体９０は、窓用開口９６内に配設される筒体部９２と、この筒体部９２の室内側の端部に設けられたフランジ部９３とを有している。カバー体９１は、このフランジ部９３の前面を覆うようにして取り付けられ、化粧カバーとしての役割を果たす。
【０００３】
窓枠本体９０は、図７に示されるように、フランジ部９３における筒体部９２中央側の端部に、室内側に向けて係止部９４が突出するようにして設けられている。この係止部９４には、カバー体９１に設けられた被係止部９５が係止されるようになっており、この被係止部９５は、窓枠本体９０の係止部９４よりも筒体部９２中央側に位置するようになっている。
【０００４】
このような窓枠は、窓枠本体９０にカバー体９１が取り付けられると、窓枠本体９０の係止部９４とカバー体９１の被係止部９５とが係合し、筒体部９２の中央側の側面９７と被係止部９５の筒体部９２中央側の面９８とが略面一となる。そして、フランジ部９３の前面にカバー体９１の被係止部９５の先端が当接することで、窓枠本体９０のフランジ部９３とカバー体９１の被係止部９５との角部同士が重なり合うように一致し、この当接部分にはほとんど隙間が生じないような構造となっている。
【先行技術文献】
【特許文献】
【０００５】
【特許文献１】特開２００９−１６１９９２号公報
【発明の概要】
【発明が解決しようとする課題】
【０００６】
ところで、窓枠本体９０とカバー体９１との当接部分には、窓枠本体９０とカバー体９１との接続強度の向上及び当該部分の止水性の確保のため、コーキング材が配設される。室内の環境によっては（例えば浴室など）、カバー体９１に水が掛かったり水滴が付着したりすることがあり、その場合には、その当接部分からフランジ部９３の前面のカバー体９１に覆われた部分に浸水してしまうからである。ところが、上記特許文献１記載の窓枠においては、フランジ部９３の前面とカバー体９１の被係止部９５の先端面との当接部分にほとんど隙間が生じないような構造となっているため、この部分にコーキング材を配設することが困難であった。
【０００７】
本発明は、上記事情に鑑みてなされたものであり、その目的とするところは、窓枠本体とカバー体との当接した部分に確実にコーキング材を配設することができる窓枠及びこれを用いた取付構造を提供することにある。
【課題を解決するための手段】
【０００８】
上記課題を解決するため、本発明の窓枠及びこれを用いた取付構造は以下の構成を有する。
【０００９】
本発明の窓枠は、建物躯体の窓用開口内に配設される筒体部の室内側の端部にフランジ部が設けられ、当該フランジ部における筒体部中央側の端部に室内側に向けて係止部が突設された窓枠本体と、前記フランジ部の前面を覆う蓋部を有すると共に、前記係止部よりも筒体部中央側に位置する被係止部が当該蓋部から突設されたカバー体とを備え、前記窓枠本体に前記カバー体が取り付けられると、前記係止部と前記被係止部とが係合し、前記フランジ部の前面に前記被係止部の先端が当接し、前記筒体部の中央側の側面と前記被係止部の筒体部中央側の面とが略面一となる窓枠であって、前記被係止部は、その突出先端に筒体部中央側の面から窪んだ窪み部を有しており、この窪み部と前記フランジ部の前面とでコーキング材を充填するための収容溝が形成されていることを特徴とする。
【００１０】
また、この窓枠を用いた取付構造は、前記筒体部が建物躯体の窓用開口内に配設されると共に、前記フランジ部が固着具を介して当該建物躯体の内壁面に沿って固設され、前記カバー体が前記フランジ部の前面に装着されると共に、前記収容溝にコーキング材が充填され、前記収容溝内に充填された前記コーキング材により、前記窓枠本体の中央側の側面における前記カバー体との接続部分に止水部が形成されていることを特徴とする。
【発明の効果】
【００１１】
本発明の窓枠及びこれを用いた取付構造によれば、窓枠本体とカバー体との当接した部分に確実にコーキング材を配設することができる。
【図面の簡単な説明】
【００１２】
【図１】本発明の一実施形態の要部側断面図である。
【図２】本実施形態の使用例を示す側断面図である。
【図３】本実施形態のカバー体を説明するための図であり（ａ）は側面図であり（ｂ）は背面図である。
【図４】本実施形態の窓枠の取り付け方法を説明する斜視図である。
【図５】同上のカバー体を装着する直前の斜視図である。
【図６】従来の窓枠を説明するための斜視図であり、カバー体の図示を省略している。
【図７】従来の窓枠を説明するための要部側断面図である。
【発明を実施するための形態】
【００１３】
本発明の実施形態について添付図面に基づいて説明する。
【００１４】
図１，３には本実施形態の窓枠２を示し、図２には、本実施形態の窓枠２の使用例として、建物躯体１の一例としての浴室壁１１に窓枠２を取り付けたものを示している。以下、この使用例における取り付け態様に基づいて、本実施形態の窓枠２を説明する。
【００１５】
本実施形態の窓枠２は、浴室壁１１（壁パネル）に設けられた窓用開口１２に取り付けられる。この窓用開口１２は、図４に示されるように、正面視略矩形状をしており、浴室内外を貫通している。窓枠２は、図１，２に示されるように、浴室壁１１に直接固定される窓枠本体３と、この窓枠本体３の室内側の開口縁部を覆うカバー体６とを備えている。窓枠本体３の室外側の端部には、複数枚のガラス障子（図示せず）を左右方向にスライド自在に保持した窓サッシ（図示せず）が固設されており、その室外側開口が開閉自在に閉塞されている。なお当然ながら、窓用開口１２における室外側の開口も、このガラス障子及び窓サッシによって閉塞される。
【００１６】
窓枠本体３は、図４に示されるように、上下に対向する一対の横板材３１と左右に対向する一対の縦板材３４とを、連結部材３７を介して方形状に枠組みすることで構成されている。この横板材３１は、左右方向に開口が臨むように配置された中空板材によって構成されており、この左右両端に位置する開口に連結部材３７が挿通接続される。横板材３１は、浴室壁１１に対して略直角に配設される横板本体部３２と、この横板本体部３２の室内側端部から浴室壁１１に沿って（つまり、横板本体部３２と略直角になるように）連設される横板鍔部３３とを有している。また縦板材３４も同様に中空板材により構成されており、浴室壁１１に対して略直角に配設される縦板本体部３５と、この縦板本体部３５の室内側端部から浴室壁１１に沿って連設される縦板鍔部３６とを有している。連結部材３７は、横板材３１の左右方向の端部にスライド接続される横板接続片３８と、縦板材３４の上下端部にスライド接続される縦板接続片３９とを有しており、これら横板接続片３８及び縦板接続片３９は互いに直角となるように連設されている。
【００１７】
上記構成の横板材３１と縦板材３４とを連結部材３７を用いて枠組みし、図４に示すような筒状をした窓枠本体３を形成する。また横板鍔部３３の左右両端部と縦板鍔部３６の上下両端部には略正方形状の空所が生じるが、この部分には、各鍔部３３，３６同士を連結する正面視略Ｌ字状のコーナーピース５１を接続する。以下、このような窓枠本体３において、横板本体部３２と縦板本体部３５とで構成された筒状部分を筒体部４と称し、横板鍔部３３と縦板鍔部３６とで主体が構成された正面視ロ字状部分をフランジ部５と称する。なお、本実施形態におけるフランジ部５は、正面視において、筒体部４の中央側の側面４１から各鍔部３３，３６の突出端部に至るまでの部位をいう。
【００１８】
フランジ部５は、図１，２に示されるように、筒体部４中央側の端部と外縁側の端部とに、それぞれ係止部５２，５２が設けられている（以下、筒体部４中央側の端部の係止部５２を第１係止部５３、外縁側の端部の係止部５２を第２係止部５４という）。第１係止部５３は、室内側に向けて突設されており、具体的には、筒体部４の中央側の側面４１よりも僅かに外縁側（側方向外方）にずれた位置に設けられた突出片５５と、この突出片５５の先端に設けられた筒体部４中央側に向けて膨出する膨出部５６とで構成されている。第２係止部５４は、フランジ部５の外縁側端面から前方に向けて突出した突条５７と、この突条５７の突出基部の外縁側に設けられた挿入部５８とを有している。これら係止部５２にカバー体６の被係止部６３が係止することで、窓枠本体３にカバー体６が装着される。
【００１９】
カバー体６は、図５に示されるように、フランジ部５の前面を覆うものであり、フランジ部５の各辺に直線状のカバー体６がそれぞれ取り付けられる。カバー体６は、図３に示されるように、帯形状をした蓋部６２と、その蓋部６２の長辺から当該蓋部６２に直角な方向にそれぞれ突設された被係止部６３とを有しており、全体として断面略コ字形状に形成されている。ここで本実施形態では、被係止部６３として、第１係止部５３に係止される被係止部６３を第１被係止部６４と称し、第２係止部５４に係止される被係止部６３を第２被係止部６５と称する。
【００２０】
第１被係止部６４は、図１に示されるように、筒体部４のフランジ部５に設けられた第１係止部５３と係合し、その筒体部４中央側の面６８が筒体部４の中央側の側面４１と略面一となる。第１被係止部６４は、その突出先端が、筒体部４中央側とは反対側に膨出する膨大部６６となっており、その膨大部６６における筒体部４中央側の面６８に窪み部６１が形成されている。この窪み部６１は、第１被係止部６４の筒体部４中央側の面６８から窪んだ形状となっており、少なくとも底面を有している。本実施形態の窪み部６１は、凹段部６７によって構成されている。
【００２１】
第２被係止部６５は、図１に示されるように、突出先端が筒体部４中央側に屈曲することで構成されている。また第２被係止部６５は、フランジ部５の第２係止部５４の外縁側の面に重なり合うようになっており、その屈曲した先端を、フランジ部５に設けられた第２係止部５４の挿入部５８に挿入することで、第２係止部５４と係合する。
【００２２】
上記構成のカバー体６を窓枠本体３に取り付けるには、次のようにして行なう。カバー体６を窓枠本体３に対して傾けたまま、カバー体６の第２被係止部６５をフランジ部５の挿入部５８に挿入する。そしてカバー体６を、当該第２被係止部６５の先端を支点にして第１係止部５３に近づける側に回動する。するとカバー体６の第１被係止部６４は、フランジ部５の第１係止部５３に当接し、そのまま回動を継続することで、カバー体６は弾性的に変形し、第１係止部５３を乗り越えて第１係止部５３に係止される。そして対向する被係止部６３により窓枠本体３側の係止部５２を挟み込むような状態となり、カバー体６は窓枠本体３に装着される。窓枠本体３にカバー体６が取り付けられた状態では、前記フランジ部５の前面にカバー体６の第１被係止部６４の先端が当接しており、筒体部４の中央側の側面４１と被係止部６３の筒体部４中央側の面６８とは、略面一となる。さらに、第１被係止部６４の窪み部６１と前記フランジ部５の前面とで凹状の収容溝７が形成される。この収容溝７は、窓枠２の開口内縁部の全長に亙って形成され、コーキング材Ａを配設するための凹所となる。
【００２３】
このような構成の窓枠２を浴室壁１１に設置するには、図４に示すように、まず窓枠本体３を浴室壁１１の窓用開口１２に固設する。具体的には、窓枠本体３の筒体部４を窓用開口１２内に挿通して、フランジ部５を浴室壁１１の前面に当接し、この状態でフランジ部５にネジや釘からなる固着具Ｂを挿通して浴室壁１１に固定する。なお、窓枠本体３の浴室壁１１への設置に関し、固着具Ｂに代えて接着剤を用いてもよいし、接着剤と固着具Ｂとを併用してもよい。次いでフランジ部５の各辺に、それぞれカバー体６を装着する。このカバー体６により、フランジ部５表面の凹凸を隠したり、フランジ部５表面に現われる固着具Ｂの露出を隠したりすることができる。
【００２４】
ここでこの設置状態のまま浴室を使用すると、窓枠２に水が付着した場合に、フランジ部５とカバー体６とで囲まれた部分に浸水してしまう。その場合、カビ発生の原因となり不衛生となるし、とりわけ本実施形態においては、窓枠本体３を固着具Ｂを用いて浴室壁１１に固定しているため、固着具挿通孔を通過して漏水するおそれもある。
【００２５】
そこでフランジ部５とカバー体６とで囲まれた空間への浸水を防止するため、本実施形態ではフランジ部５とカバー体６とが突き合わされた部分にコーキング材Ａを塗布し、止水部８を形成する。具体的には、コーキング材Ａを、窓枠２の開口内縁部における収容溝７内に充填すると共に、窓枠２の外縁側におけるカバー体６の第２被係止部６５と浴室壁１１とで成す入り隅部に塗布する。また、コーナーピース５１とカバー体６とが突き合わされた部分にもコーキング剤Ａを配設する。なおコーキング材Ａとしては、例えばシリコン系のコーキング材Ａが用いられる。
【００２６】
このように本実施形態の窓枠２は、フランジ部５とカバー体６とが突き合わされた部分にコーキング材Ａが塗布されているため、フランジ部５とカバー体６とで囲まれた空間への浸水が防止されると共に、カバー体６の取り付け強度も向上する。しかも窓枠２の開口内縁部にはコーキング材Ａを充填するための収容溝７が設けられているため、十分な量のコーキング材Ａを配設することができ、当該部分における止水性能が大幅に向上する。
【００２７】
また本実施形態の窓枠２は、一定の隙間を形成する収容溝７を有しているので、確実にコーキング材Ａを配設でき、しかも収容溝７全長に亙ってほぼ一定量（厚み）のコーキング材Ａを充填することができる。これによりコーキング材Ａの厚みのムラをなくすことができる。そのうえ、コーキング材Ａを配設するためのコーキングガンの先端をこの収容溝７に沿わせながら充填作業を行なうことができ、よりスムーズに且つ正確な作業を行なうことができるようになる。
【００２８】
また、カバー体６の第１被係止部６４の背面側（つまりフランジ部５外縁側）に第１係止部５３が沿うように位置しており、つまり第１被係止部６４は、筒体部４中央側からフランジ部５外縁側に向けた力に対し、第１係止部５３により支持される。このため、コーキング材Ａを配設する際に、コーキングガンを収容溝７に押し付けたり、不意に力を掛けてしまったりしたとしても、破損するおそれが低減する。
【００２９】
また、本実施形態の窓枠２は、収容溝７が設けられているため、筒体部４の中央側の側面４１よりも筒体部４中央側にコーキング材Ａを突出させることなく、コーキング材Ａを配設することができる。これにより見栄えも向上するものとなる。
【００３０】
また経年変化によりコーキング材Ａが劣化した場合にも、コーキング材Ａを追加する作業を容易に行なうことができるという利点もある。
【００３１】
また本実施形態の窓枠２は、カバー体６と窓枠本体３との間に単に隙間が設けられたものではなく、カバー体６の被係止部６３の先端とフランジ部５の前面とが当接した状態を保ったまま、収容溝７が形成されるものである。つまり、コーキング材Ａが硬化するまでの間に収容溝７の対向する側面間の寸法が変わることがないため、仕上がり後の外観も良好なものとなる。
【００３２】
以上、本発明の窓枠を添付図面に示す本実施形態の窓枠２及び浴室壁１１に取り付けた使用例に基づいて説明したが、本発明の窓枠は、建物躯体の壁であれば適用可能であり、本実施形態の使用例に限定されるものではない。
【００３３】
また本実施形態の窪み部６１は凹段部６７により構成されていたが、本発明の窪み部は、例えば先端ほど漸次フランジ部外縁側に近付くような傾斜面や湾曲面を底面とするような形状で構成されていてもよく、本実施形態のものに限定されない。
【符号の説明】
【００３４】
２      窓枠
３      窓枠本体
３１    横板材
３２    横板本体部
３３    横板鍔部
３４    縦板材
３５    縦板本体部
３６    縦板鍔部
３７    連結部材
３８    横板接続片
３９    縦板接続片
４      筒体部
４１    中央側の側面
５      フランジ部
５２    係止部
５３    第１係止部
５４    第２係止部
５５    突出片
５６    膨出部
５７    突条
５８    挿入部
６      カバー体
６１    窪み部
６２    蓋部
６３    被係止部
６４    第１被係止部
６５    第２被係止部
６６    膨大部
６７    凹段部
６８    中央側の面
７      収容溝
【図１】
2011246958.tif 000003
【図２】
2011246958.tif 000004
【図３】
2011246958.tif 000005
【図４】
2011246958.tif 000006
【図５】
2011246958.tif 000007
【図６】
2011246958.tif 000008
【図７】
2011246958.tif 000009